(57)【要約】【課題】生分解処理が可能な植物性材料を利用し、細菌や黴による育苗床の変質や損傷を防止すると共に、廃棄の際そのまま土中に廃棄、放置しても生分解され、残床処理の必要がない育苗床を提供すること。【解決手段】竹、葦等イネ科植物の非木材繊維パルプと、打壊処理されたパーム繊維と、床内保水浄化剤とからなる混合材料、または、上記非木材繊維パルプと、打壊処理されたパーム繊維と、床内保水浄化剤と、防黴剤と、育苗水浄化剤と、少量の肥料とからなる混合材料を所定の厚さに成型後乾燥させた育苗床。また、該育苗床の本体１の表面に多数の誘導根穴２または誘導根溝３を形成してなる。【選択図】      図１
2004187617.tif 000002
【特許請求の範囲】
【請求項１】
竹、葦等イネ科植物の非木材繊維パルプと、打壊処理されたパーム繊維と、床内保水浄化剤とからなる混合材料を所定厚さに成型後乾燥させて得た育苗床。
【請求項２】
竹、葦等イネ科植物の非木材繊維パルプと、打壊処理されたパーム繊維と、床内保水浄化剤と、防黴剤と、育苗水浄化剤と、少量の肥料とからなる混合材料を所定厚さに成型後乾燥させて得た育苗床。
【請求項３】
育苗床本体１に多数の小さな誘導根穴２または誘導根溝３をを形成してなる請求項１又は２に記載の育苗床。
【請求項４】
上記非木材繊維パルプが煮沸処理された竹パルプ５乃至１０重量％と葦パルプ５２乃至２５重量％とからなり、更に打壊処理されたパーム繊維４０乃至６０重量％と、床内保水浄化剤３乃至５重量％とからなる請求項１又は３に記載の育苗床。
【請求項５】
上記床内保水浄化剤が木炭粉末、又は竹炭粉末、又は木炭粉末と竹炭粉末との混合物である請求項１乃至４に記載の育苗床。
【請求項６】
上記防黴剤が、山椒、唐辛子、又はこれらの混合物である請求項２乃至５に記載の育苗床。
【請求項７】
上記育苗水浄化剤が木酢液、竹酢液、又はこれらの混合物である請求項２乃至６に記載の育苗床。
【請求項８】
上記肥料が窒素肥料と燐酸肥料とカリ肥料とが１：１.６：１の割合で混合されている肥料である請求項２乃至７に記載の育苗床。
【発明の詳細な説明】
【０００１】
【発明の属する技術分野】
本発明は、特に生分解処理が可能な非木材系の繊維を主体とし、使用後の残床処理を不要として農作業の省力化をはかり、自然界の資源を保護し、廃棄するに際しても環境公害問題をも解決し得る育苗床に関するものである。
【０００２】
【従来の技術】
現在広く使用されている稲用の育苗床については、周知のごとく殆どのものが原材料は化学製品であって、発泡状態又は繊維状態の合成樹脂をシート状等所定の形状に成型したものが用いられている。
【０００３】
【発明が解決しようとする課題】
この様な原材料からなる従来の育苗床は、原材料そのものが生分解されない物質であるために、育苗後に残された育苗床（残床）の除去並びに廃棄処理に多大の手数を要する欠点があった。又、この手数を少しでも省く目的で、田植え時にそのまま土中に埋没させてしまう場合もあるが、この様な処理が度重なるとその後の栽培に重大な支障をきたすので問題事項となっていた。更に、手数をかけて除去した残床の処分に関しても、例えば埋め立て地などで土中に埋没させても何時までも腐敗せず、焼却処分するときには有害ガスを発生するので、環境の破壊や汚染、更には公害問題が発生するという解決すべき課題を有していた。
【０００４】
そこで、本発明に於いては、上記欠点や問題事項並びに課題を解決するために、安価で且つ生分解処理が可能な再生材或いは未利用資源である植物性材料を利用して、大量生産が可能で細菌や黴による育苗床の変質や損傷を防止すると共に、廃棄するに際してもそのまま土中に廃棄、放置しても生分解され、有害物質を発生することがなく、土質改良にも有用である育苗床を提供することを目的とする。
【０００５】
【課題を解決するための手段】
該目的を達成するために講じた本発明の手段を、実施例の説明と共通の用語、符号により説明すると、請求項１に該当する第１発明の育苗床は、竹、葦等イネ科植物の非木材繊維パルプと、打壊処理されたパーム繊維と、床内保水浄化剤とからなる混合材料を所定厚さに成型後乾燥させて得た構成となっている。
【０００６】
又、請求項２に該当する第２発明の育苗床は、竹、葦等イネ科植物の非木材繊維パルプと、打壊処理されたパーム繊維と、床内保水浄化剤と、防黴剤と、育苗水浄化剤及び少量の肥料とからなる混合材料を所定厚さに成型後乾燥させて得た構成となっている。
【０００７】
【発明の実施の形態】
上記した本発明の育苗床を実施するには、使用される植物素材のうち、竹パルプは、材料限定はしないが例えば間伐材、小枝などの廃材を原料とし、煮沸処理をして用いる。葦パルプは生のままで使用し、パーム繊維は打壊処理をしてから使用する。これら３種類の繊維の混合比率は、煮沸処理した竹パルプが５乃至１０重量％、葦パルプは５２乃至２５重量％、打壊処理したパーム繊維は４０乃至６０重量％である。
【０００８】
床内保水浄化剤は育苗中に育苗床内に吸蔵されている水分を浄化するために、上記混合植物繊維に添加するもので木炭又は竹炭又は両者を適当に混合して粉砕して使用し、その粉末の混合割合は３乃至５重量％である。又、防黴剤は育苗中に植物繊維に黴が発生して生育中の苗に病害が発生することを防止するために添加するもので、パーム繊維には山椒又は山椒と同一種の植物の葉、実、樹皮等を乾燥後２００μｍ程度に粉砕するか或いは水に混和して３０％程度の液体状としたものを３乃至７重量％の割合で混合し、葦パルプには唐辛子を乾燥後２００μｍ程度に粉砕するか或いは水に混和して３０％程度の液体状としたものを３乃至７重量％の割合で混合して使用する。育苗水浄化剤は育苗中に供給される水を浄化して苗に病害が発生することを防止するために添加するもので、木酢液又は竹酢液を２乃至５重量％の割合で混合して使用する。肥料は周知の窒素肥料、燐酸肥料、カリ肥料を１：１.６：１に配合したものを０.０１乃至０.０２重量％の割合で混合して使用する。
【０００９】
第１発明に該当する第１実施例の育苗床は、上記煮沸処理した竹パルプが５乃至１０重量％、葦パルプは５２乃至２５重量％、打壊処理したパーム繊維は４０乃至６０重量％、床内保水浄化剤とて粉砕した木炭又は竹炭を３乃至５重量％の割合で混合した混合材料を所定厚さに成型後乾燥させて、マット状となった多孔質の育苗床の本体１を得る。
【００１０】
又、第２発明に該当する第２実施例の育苗床は、上記煮沸処理した竹パルプが５乃至１０重量％、葦パルプは５２乃至２５重量％、打壊処理したパーム繊維は４０乃至６０重量％、床内保水浄化剤とて粉砕した木炭又は竹炭を３乃至５重量％に、更に、防黴剤としてパーム繊維には山椒又は山椒と同一種の植物の葉、実、樹皮等を、又、葦パルプには唐辛子を、夫々乾燥後２００μｍ程度に粉砕するか或いは水に混和して３０％程度の液体状としたものを３乃至７重量％、育苗水浄化剤として木酢液又は竹酢液を２乃至５重量％、肥料として窒素肥料、カリ肥料、燐酸肥料を１：１.６：１に配合したものを０.０１乃至０.０２重量％を夫々の割合にしたがって混合した混合材料を所定厚さに成型後乾燥させて、マット状となった多孔質の育苗床の本体１を得る。更に必要に応じてその表面に多数の誘導根穴２を形成して育苗床とする。第３実施例の育苗床は、この誘導根穴２に代えて誘導根溝３を形成してあるものを示した。
【００１１】
上記実施形態で製造された育苗床は、マット状となった構造中に必要な水分を確保し、床内保水浄化剤として添加した木炭粉末又は竹炭粉末の作用により育苗床中に保持されている水分を常に浄化して清浄に維持する。又、山椒の植物体や唐辛子を使用した防黴剤の作用で黴の繁殖を阻止して、黴が苗の発育の阻害要因となることを防止する。更に、育苗水浄化剤として添加された木酢液又は竹酢液は、供給される育苗水の清浄を保ち、前述した木炭粉末又は竹炭粉末の床内保水浄化作用及び防黴剤として添加された山椒や唐辛子の防黴作用と相俟って、生育中の苗に病害が発生して蔓延することを防止する。又、混合された肥料は苗の生育に資する効果を有することは言うまでもない。上記による本発明の育苗床は、育苗期間約３０乃至４０日間で全体容積の４０乃至４５％程度が生分解され、定植後ほぼ２０日以内で完全に生分解されて消滅し、残床処理の必要はない。従って、従来のように残床の除去並びに廃棄処理のために多大の手数を要する事がなく、そのまま土中に埋没させられた残床がその後の栽培に支障をきたすこともなくなって、環境の破壊や汚染の残留、病害の蔓延といった公害問題を解消する事となる。
【００１２】
【実施例】
以下本発明の各種の実施例を前記発明の実施の形態欄の記載事項並びに図面に基づいて説明する。図１は第１実施例、図２は第２実施例、図３は第３実施例のそれぞれの外観を示す斜視図である。
【００１３】
第１実施例は基本的な構成の育苗床である。本実施例は、煮沸処理した竹パルプが１０重量％、葦パルプは３０重量％、打壊処理したパーム繊維は５５重量％、床内保水浄化剤とて粉砕した木炭を５重量％混合した混合材料を圧縮成型後乾燥させて、図１に示したマット状となった多孔質の育苗床の本体１を得る。
【００１４】
第２実施例は煮沸処理した竹パルプが９重量％、葦パルプは２８重量％、打壊処理したパーム繊維は５０重量％、床内保水浄化剤とて粉砕した木炭を４.５重量％、更に、防黴剤としてパーム繊維に対し山椒の実を乾燥後２００μｍ程度に粉砕した粉末を、又、葦パルプに対し唐辛子を乾燥後２００μｍ程度に粉砕した粉末を夫々２.５重量％、育苗水浄化剤として木酢液を約３.５重量％、肥料として窒素肥料と燐酸肥とカリ肥料料とを１：１.６：１に配合したものを０.０２重量％を夫々の割合に混合した混合材料を圧縮成型後乾燥させて、マット状となった多孔質の育苗床の本体１を得る。この第２実施例は図２に示したように、育苗床本体１の表面に発根を誘導し、安定させるための多数の誘導根穴２を形成している。この穴２の大きさ及び間隔は適宜になし得るものであるが、該実施例のものにあっては、穴径１ｍｍ、間隔縦横５ｍｍとしてある。また、深さ２ｍｍに形成してあるが貫通させてもよい。
【００１５】
第３実施例：  第３実施例は煮沸処理した竹パルプが９重量％、葦パルプは２８重量％、打壊処理したパーム繊維は５０重量％、床内保水浄化剤とて粉砕した竹炭を４.５重量％、更に、防黴剤としてパーム繊維に対し山椒の実を乾燥後２００μｍ程度に粉砕した粉末を、又、葦パルプに対し唐辛子を乾燥後２００μｍ程度に粉砕した粉末を夫々２.５重量％、育苗水浄化剤として竹酢液を約３.５重量％、肥料として窒素肥料と燐酸肥とカリ肥料料とを１：１.６：１に配合したものを０.０２重量％を夫々の割合に混合した混合材料を圧縮成型後乾燥させて、マット状となった多孔質の育苗床の本体１を得る。更に、その表面に発根を誘導し安定させるための多数の誘導根溝３を形成している。この誘導根溝３もその幅及び深さ並びに間隔は適宜になし得るものであるが、溝の幅２ｍｍ、深さ２ｍｍで間隔１２．５ｍｍのものと１５ｍｍのものとで、育苗床本体１の幅方向に沿わせたものと、長さ方向に沿わせたものと、格子状に形成したものとを実施した。この内図３には、間隔１２．５ｍｍで育苗床本体１の長さ方向に沿わせて形成したものを示した。また、溝３の断面形状としてはＶ字形としたものを示したが、この溝形状は、断面Ｕ字形、コの字形、台形状その他適宜の形状として実施することができる。
【００１６】
以上本発明の代表的と思われる実施例について説明したが、本発明は必ずしもこれらの実施例構造のみに限定されるものではなく、本発明にいう前記の構成要件を備え、かつ、本発明にいう目的を達成し、以下にいう効果を有する範囲内において適宜改変して実施することができるものである。
【００１７】
【発明の効果】
本発明にいう育苗床は、煮沸された竹パルプと葦等イネ科植物のパルプとからなる非木材繊維パルプと、打壊処理されたパーム繊維と、床内保水浄化剤とを混合した混合材料を圧縮成型後乾燥させた育苗床の表面に多数の誘導根穴を形成してなり、更に上記材料に防黴剤と育苗水浄化剤並びに肥料とを混合した混合材料を圧縮成型後乾燥させた育苗床であるから、マット状となった構造中に必要な水分を確保し、床内保水浄化剤として添加した木炭粉末又は竹炭粉末の作用により育苗床中に保持されている水分を常に浄化して清浄に維持する効果を有する。又、山椒の植物体や唐辛子を使用した防黴剤の作用で黴の繁殖を阻止して黴が苗の発育の阻害要因となることを防止する。更に、育苗水浄化剤として添加された木酢液又は竹酢液は供給される育苗水を清浄に維持し、前述した木炭粉末又は竹炭粉末の床内保水浄化作用及び防黴剤として添加された山椒や唐辛子の防黴作用と相俟って、生育中の苗に病害が発生して蔓延することを防止する効果を有する。又、混合された肥料は苗の生育を促し、形成された多数の誘導根穴は苗の着床状態を完全にして勢が盛んで強く優れた性質の苗に発育させる効果をも有する。
【００１８】
上記による本発明の育苗床は、育苗期間約３０乃至４０日間で全体容積の４０乃至４５％程度が生分解され、定植後ほぼ２０日以内で完全に生分解されて消滅し、残床処理の必要はない。従って、従来のように残床の除去並びに廃棄処理のために多大の手数を要する事がなく、そのまま土中に埋没させられた残床がその後の栽培に支障をきたすこともなく、環境の破壊や汚染の残留、病害の蔓延といった公害問題を解消するという効果をも有するに至ったのである。
【図面の簡単な説明】
【図１】本発明の第１実施例の外形を示す斜視図。
【図２】本発明の第２実施例の外形を示す斜視図。
【図３】本発明の第３実施例の外形を示す斜視図。
【符号の説明】
１  育苗床本体
２  誘導根穴
３  誘導根溝
【図１】
2004187617.tif 000003
【図２】
2004187617.tif 000004
【図３】
2004187617.tif 000005